(57)【要約】【課題】カバー材の表面化粧部に柄を付与した場合にも、カバー材の脚部の変形が抑制され、カバー材とベース材の嵌合が安定に実現される外壁用役物を提供すること。【解決手段】隣接する外装材の間の目地に沿って取り付けられる外壁用役物１であって、嵌合部２２を有するベース材２と、カバー材３とを有し、前記カバー材３は、長尺な板状の表面化粧部４と、この表面化粧部４の裏面の中央付近に、前記表面化粧部４の裏面から一段下がった段落ち部５と、この段落ち部５から前記表面化粧部４の裏面から離れる方向に延設され、前記ベース材２の嵌合部２２と嵌合可能な脚部６と、を備えている外壁用役物１とする。【選択図】図１
2012132185.tif 000002
【特許請求の範囲】
【請求項１】
隣接する外装材の間の目地に沿って取り付けられる外壁用役物であって、嵌合部を有するベース材と、カバー材とを有し、
前記カバー材は、
長尺な板状の表面化粧部と、
この表面化粧部の裏面の中央付近に、前記表面化粧部の裏面から一段下がった段落ち部と、
この段落ち部から前記表面化粧部の裏面から離れる方向に延設され、前記ベース材の嵌合部と嵌合可能な脚部と、
を備えていることを特徴とする外壁用役物。
【請求項２】
前記カバー材の段落ち部は、略直角なコーナー部を有することを特徴とする請求項１に記載の外壁用役物。
【発明の詳細な説明】
【技術分野】
【０００１】
本発明は、外壁用役物に関する。さらに詳しくは、建物の外装材の目地に取り付けられる役物に関する。
【背景技術】
【０００２】
従来、外壁下地に、外装材として金属サイディングを張設する場合、隣接する金属サイディング同士の間の目地には、目地を覆うための外壁用役物が取り付けられている（例えば、特許文献１など）。
【０００３】
従来の外壁用役物の一例を図５の平断面図に示す。図５に例示したように、外壁用役物７０は、ベース材７１とカバー材７２とによって構成されている。この外壁用役物７０は、カバー材７２の表面化粧部７２aの裏面略中央から突出する脚部７２bと、ベース材７１の嵌合片７１aとが嵌合可能に設計されている。具体的には、脚部７２bの先端には外側に折り曲げられた折り曲げ部７２cが設けられており、脚部７２bの開き度合いや突出長さは、嵌合片７１aの形状等に対応している。したがって、外壁下地Ｈに張設した外装材Ｓ同士の間の目地Ｍの外壁下地Ｈ側にベース材７１を配置し、目地Ｍにカバー材７２を挿入することで、ベース材７１の嵌合片７１aの内側に突設した爪部７１bにカバー材７２の脚部７２bの先端の折り曲げ部７２cを嵌合して係止することができる。これによって、カバー材７２の表面化粧部７２aが目地Ｍを外側から覆うことができるものとされている。
【先行技術文献】
【特許文献】
【０００４】
【特許文献１】特開2005−126988号公報
【発明の概要】
【発明が解決しようとする課題】
【０００５】
一方、外装材としての金属サイディングの表面には、外観意匠性を高めるための柄がプレス加工等によって付与される場合がある。そこで、外壁用役物のカバー材にも、金属サイディングと同じ質感の柄を付与することで、さらに統一感のある雰囲気を演出しようとする試みがなされている。
【０００６】
例えば、図６の平断面図に例示したように、プレス加工によってカバー材７２の表面化粧部７２aに柄を付与した場合、表面化粧部７２aに凹凸柄等が形成される。例えば、図６では、表面化粧部７２aに波状の柄が付与され、裏面側に盛り上がった隆起部７２dが形成されている。このように表面化粧部７２aに柄が付与されると、図中矢印に示すように、成形によるひずみによって脚部７２bの基部７２e付近を中心に脚部７２bが外側に開く等の変形が生じる場合があった。そして、カバー材７２の脚部７２bに変形が生じると、予め設定されていた脚部７２bの開き度合い等に誤差が生じ、脚部７２bの先端の折り曲げ部７２cとベース材７１の嵌合片７１aの爪部７１bとの嵌合が不安定になるという問題があった。
【０００７】
本発明は、以上のとおりの事情に鑑みてなされたものであり、カバー材の表面化粧部に柄を付与した場合にも、カバー材の脚部の変形が抑制され、カバー材とベース材の嵌合が安定に実現される外壁用役物を提供することを課題としている。
【課題を解決するための手段】
【０００８】
上記の課題を解決するために、本発明の外壁用役物は、隣接する外装材の間の目地に沿って取り付けられる外壁用役物であって、嵌合部を有するベース材と、カバー材とを有し、  前記カバー材は、長尺な板状の表面化粧部と、この表面化粧部の裏面の中央付近に、前記表面化粧部の裏面から一段下がった段落ち部と、この段落ち部から前記表面化粧部の裏面から離れる方向に延設され、前記ベース材の嵌合部と嵌合可能な脚部と、を備えていることを特徴としている。
【０００９】
また、本発明の外壁用役物においては、カバー材の段落ち部は、略直角なコーナー部を有することが好ましい。
【発明の効果】
【００１０】
本発明の外壁用役物によれば、カバー材の表面化粧部に柄を付与した場合にも、カバー材の脚部の変形が抑制され、カバー材とベース材を安定に嵌合させることができる。
【図面の簡単な説明】
【００１１】
【図１】本発明の外壁用役物の一実施形態を例示した平断面図である。
【図２】（Ａ）は、本発明の外壁用役物のカバー材の表面化粧部に、柄を付与した状態を例示した斜視図であり、（Ｂ）は、（Ａ）のＡ−Ａ’矢視断面図である。
【図３】（Ａ）は、本発明の外壁用役物のカバー材の表面化粧部の一実施形態を例示した正面図であり、（Ｂ）は、本発明の外壁用役物のカバー材の一実施形態を例示した側面図である。
【図４】図２および図３に例示したカバー材と、ベース材の施工状態を例示した平断面図である。
【図５】従来の外壁用役物の一例を示した平断面図である。
【図６】従来の外壁用役物の一例を示した平断面図である。
【発明を実施するための形態】
【００１２】
図１は、本発明の外壁用役物の一実施形態を例示した平断面図である。
【００１３】
外壁用役物１は、ベース材２と、カバー材３とを有している。
【００１４】
ベース材２は、基板部２１と、この基板部２１から突出する嵌合部２２とを備えている。基板部２１は、長尺な板状に設計されている。基板部２１の幅（短手方向長さ）は、施工後の外装材同士の間の目地の幅よりも大きく設計されている。
【００１５】
嵌合部２２は、第１の嵌合片２２aおよび第２の嵌合片２２bの内側に形成されている。第１の嵌合片２２aおよび第２の嵌合片２２bは、基板部２１の短手方向の中央付近から、長手方向全長に亘って基板部２１に対して略直角方向に突出し、所定の間隔で互いに対向配置されている。
【００１６】
第１の嵌合片２２aの先端には、第２の嵌合片２２b側へ突出する第１の爪部２３が設けられており、第１の嵌合片２２aと第１の爪部２３との間の角度は鋭角に設計されている。また、第２の嵌合片２２bの先端には、第１の嵌合片２２a側へ突出する第２の爪部２４が設けられており、第２の嵌合片２２bと第２の爪部２４との間の角度は鋭角に設計されている。第１の嵌合片２２aおよび第２の嵌合片２２bは、長さが略等しく、形状は基板部２１の中央を中心に左右対称に設計されている。
【００１７】
カバー材３は、表面化粧部４と、段落ち部５と、脚部６とを備えた長尺な部材である。また、カバー材３は、短手方向の中央を中心として略左右対称な形状に設計されている。
【００１８】
表面化粧部４は、長尺な板状に設計されている。表面化粧部４には、プレス加工等によって様々な柄を付与することができる。表面化粧部４の短手方向の両端部（以下、図中左側の端部を第１の端部４a、図中右側を第２の端部４bという。）は、表面化粧部４の裏面側へ弧を描いて折り返している。
【００１９】
表面化粧部４の第１の端部４aからは、裏面に沿って延びる第１の折り返し部４１が設けられている。同様に、第２の端部４bからは、裏面に沿って延びる第２の折り返し部４２が設けられている。
【００２０】
段落ち部５として、第１の段落ち部５１と、第２の段落ち部５２が形成されている。具体的には、第１の段落ち部５１は、第１の折り返し部４１の端部４１aから表面化粧部４の短手方向の中央付近で表面化粧部４の裏面から一段下がって形成されている。同様に、第２の段落ち部５２は、第２の折り返し部４２の端部４２aから表面化粧部４の短手方向の中央付近で表面化粧部４の裏面から一段下がって形成されている。
【００２１】
第１の段落ち部５１は、第１の突出部５１aと第１の内向き部５１bとによって形成されている。第１の突出部５１aは、第１の折り返し部４１の端部４１aから、表面化粧部４の裏面から離れる方向に延設され、第１の折り返し部４１から略直角に屈曲して形成されている。第１の内向き部５１bは、この第１の突出部５１aの端部から表面化粧部４の短手方向の中央へ向かって延設されている。また、第１の突出部５１aと第１の内向き部５１bの間の第１のコーナー部Ｃ１は略直角に形成されており、第１の内向き部５１bは、表面化粧部４と略平行に形成されている。
【００２２】
同様に、第２の段落ち部５２は、第２の突出部５２aと第２の内向き部５２bとによって形成されている。第２の突出部５２aは、第２の折り返し部４２の端部４２aから、表面化粧部４の裏面から離れる方向に延設され、第２の折り返し部４２の端部４２aから略直角に屈曲して形成されている。第２の内向き部５２bは、この第２の突出部５２aの端部から表面化粧部４の短手方向の中央へ向かって延設されている。また、第２の突出部５２aと第２の内向き部５２bの間の第２のコーナー部Ｃ２は略直角に形成されており、第２の内向き部５２bは、表面化粧部４と略平行に形成されている。
【００２３】
第１の内向き部５１bの先端部５１１と、第２の内向き部５２bの先端部５２１とは、表面化粧部４の中央付近の裏面で接近し、互いに向かい合って対峙している。そして、第１のコーナー部Ｃ１および第２のコーナー部Ｃ２が略直角に形成されていることで、第１の段落ち部５１と第２の段落ち部５２の付近の強度が向上している。
【００２４】
脚部６は、第１の脚部６１と第２の脚部６２によって形成されている。第１の脚部６１は、第１の内向き部５１bの先端部５１１から、表面化粧部４の裏面へと離れる方向に延設されている。第１の脚部６１は、表面化粧部４の第１の端部４a側に屈曲しており、第１の脚部６１の先端部６１aからは、第１の折り返し部４１の方向へ折り曲げられた第１の折り曲げ部６１１が設けられている。同様に、第２の内向き部５２bからは、さらに表面化粧部４の裏面から離れる方向に、第２の脚部６２が延設されている。第２の脚部６２は、第２の端部４b側に屈曲しており、第２の脚部６２の先端部６２aからは、第１の折り返し部４１の方向へ折り曲げられた第２の折り曲げ部６２１が設けられている。したがって、第１の脚部６１と第２の脚部６２は、表面化粧部４の裏面から離れるに従って離反するように設計され、外側からの力に対して変形し、反発する弾性力を発揮するように設計されている。
【００２５】
脚部６の開き度合いは、ベース材２の嵌合部２２に対応して設計されている。具体的には、第１の脚部６１の先端部６１aと第２の脚部６２の先端部６２aとの間の間隔Ｌ１は、ベース材２の第１の爪部２３と第２の爪部２４との間の間隔Ｌ２と略等しく設計されている。一方、第１の折り曲げ部６１１の先端部６１１aと第２の折り曲げ部６２１の先端部６２１aの間の間隔Ｌ３は、ベース材２の第１の嵌合片２２aと第２の嵌合片２２bとの間の間隔Ｌ４と略等しく設計されている。したがって、カバー材３の第１の脚部６１および第２の脚部６２を、ベース材２の第１の嵌合片２２aと第２の嵌合片２２bの間に挿入することができる。第１の折り曲げ部６１１の先端部６１１aは、第１の爪部２３の内側に嵌合し係止される。また、第２の折り曲げ部６２１の先端部６２１aは、第２の爪部２４の内側に嵌合し係止される。これによって、カバー材３がベース材２に取り付けられる構造となっている。カバー材３の第１の脚部６１および第２の脚部６２は、ベース材２の第１の爪部２３および第２の爪部２４によって保持されるとともに、弾性力を発揮するため、取り付けられたカバー材３が、ベース材２から脱落し難いように設計されている。
【００２６】
図２（Ａ）は、本発明の外壁用役物のカバー材の表面化粧部に、柄を付与した状態を例示した斜視図であり、図２（Ｂ）は、（Ａ）のＡ−Ａ’矢視断面図である。図３（Ａ）は、本発明の外壁用役物のカバー材の表面化粧部の正面図であり、（Ｂ）は、本発明の外壁用役物のカバー材の側面図である。図２および図３では、図１と共通する部分には、同一の符号を付し、以下では説明を省略する。
【００２７】
カバー材３は、表面化粧部４に、波状の柄が長尺方向に連続して付与されている。具体的には、表面化粧部４には、外側へ緩やかに膨らむ膨出部７が連続して設けられており、隣接する膨出部７同士の間には溝部８が形成されている。溝部８は、溝幅の狭い小溝８１と、小溝８１より溝幅の広い大溝８２とで構成されている。一方、表面化粧部４の裏面は、表面側の形状と対応しており、溝部８に対応する裏面付近は、裏面側に盛り上がった隆起部９が形成されている。また、カバー材の脚部６は、表面化粧部４の長尺方向に沿って、複数箇所に連続して形成されている。
【００２８】
カバー材３は、段落ち部５（第１の段落ち部５１、第２の段落ち部５２）を有しているため、この部分の強度が高い。したがって、カバー材３の表面化粧部４に柄を付与した場合、表面化粧部４の成形によるひずみによって、段落ち部５が変形し難い。すなわち、カバー材３の表面化粧部４に柄を付与した場合にも、成形のひずみは、段落ち部５に吸収され、脚部６（第１の脚部６１、第２の脚部６２）へとは伝わり難い。このため、カバー材３の表面化粧部４に柄を付与した場合にも、脚部６の変形が抑制され、予め設定されていた脚部６の形状および開き度合いが維持されている。第１の脚部６１の先端部６１aと第２の脚部６２の先端部６２aとの間の間隔Ｌ１’（図２（Ｂ））は、柄を付与する前の間隔Ｌ１（図１に図示）と略等しく、略変化していない。また、第１の折り曲げ部６１１の先端部６１１aと第２の折り曲げ部６２１の先端部６２１aの間の間隔Ｌ３’（図２（Ｂ））も、柄を付与する前の間隔Ｌ３（図１に図示）と略等しく、ほとんど変化していない。
【００２９】
図４は、図２および図３に例示したカバー材と、ベース材の施工状態を例示した平断面図である。
【００３０】
外壁下地Ｈには、外装材Ｓとしての金属サイディングＳ１が張設されている。隣接する金属サイディングＳ１同士の間の目地Ｍには、外壁下地Ｈ側にベース材２が配置されている。ベース材２の基板部２１は、短手方向の両側が金属サイディングＳ１の裏面に位置し、第１の嵌合片２２aおよび第２の嵌合片２２bは目地Ｍの内部に挿入されている。
【００３１】
図２および図３で説明したように、カバー材３は、表面化粧部４に柄が付与され、裏面には隆起部９が形成されている。この柄は、金属サイディングＳ１の表面の柄と同様である。すなわち、金属サイディングＳ１にも表面に波状の柄として膨出部Ｘと溝部Ｙが付与されている。そして、カバー材３は、表面化粧部４に柄が付与されているが、段落ち部５（第１の段落ち部５１、第２の段落ち部５２）によって成形のひずみが吸収され、脚部６（第１の脚部６１、第２の脚部６２）の変形が抑制されている。したがって、カバー材３は、予め設定された脚部６の形状および開き度合いが、柄が付与された後でも維持されている。
【００３２】
カバー材３を目地Ｍに挿入すると、第１の脚部６１および第２の脚部６２が第１の爪部２３および第２の爪部２４の内側に挿入され、第１の折り曲げ部６１１と第１の爪部２３が嵌合し、第２の折り曲げ部６２１と第２の爪部２４が確実に嵌合する。これによって、ベース材２にカバー材３が取り付けられ、カバー材３の表面化粧部４によって目地Ｍが外側から覆われる。このとき、カバー材３の裏面の隆起部９の頂部９aは、金属サイディングＳ１の表面の溝部Ｙと一致して、カバー材３の表面化粧部４の柄と金属サイディングＳ１の表面の柄が違和感なく接合する。
【００３３】
なお、本発明の外壁用役物は、以上の形態に限定されるものではない。カバー材とベース材は、互いに嵌合可能な様々な形態をとることができる。さらに、例えば、外装材が横張りされる場合には、外壁用役物は、横目地に沿って取り付け可能な形態とすることができる。また、外装材は、金属サイディング以外の材料であってもよい。
【符号の説明】
【００３４】
１  外壁用役物
２  ベース材
３  カバー材
４  表面化粧部
５  段落ち部
６  脚部
Ｓ  外装材
【図１】
2012132185.tif 000003
【図２】
2012132185.tif 000004
【図３】
2012132185.tif 000005
【図４】
2012132185.tif 000006
【図５】
2012132185.tif 000007
【図６】
2012132185.tif 000008